(57)【要約】【課題】載置部に載置された原稿の画像を精度良く読み取ることができるようにする。【解決手段】原稿載置台１２と、開閉部材とを有する。原稿載置台１２は、原稿突当て部２８を備えたフレーム、原稿を載置するための載置部、及び開閉部材の開閉に連動して回動させられて原稿を載置部に押し付ける原稿押え部材を備える。原稿押え部材は、原稿が所定の厚さより厚い場合に、原稿突当て部として機能する。開閉部材を閉じる際に載置部上で原稿が動いてしまうことがない。原稿が所定の厚さより厚い場合でも、原稿の画像も精度良く読み取ることができる。【選択図】図１
2018157511.tif 000002
【特許請求の範囲】
【請求項１】
（ａ）原稿載置台と、
（ｂ）該原稿載置台に対して開閉自在に配設された開閉部材とを有するとともに、
（ｃ）前記原稿載置台は、原稿を突き当てて位置決めするための原稿突当て部を備えたフレーム、該フレームによって包囲され、原稿を載置するための載置部、及び前記フレームに対して揺動自在に配設され、開閉部材の開閉に連動して回動させられて原稿を載置部に押し付ける原稿押え部材を備え、
（ｄ）該原稿押え部材は、原稿が所定の厚さより厚い場合に、原稿突当て部として機能することを特徴とする画像読取装置。
【請求項２】
前記原稿押え部材は、原稿を載置部に押し付ける押え部を備える請求項１に記載の画像読取装置。
【請求項３】
前記押え部は、開閉部材が完全に閉じられる前に、原稿を載置部に押し付ける請求項２に記載の画像読取装置。
【請求項４】
前記原稿押え部材は、原稿突当て部の上方において、原稿突当て部を包囲して配設される請求項１〜３のいずれか１項に記載の画像読取装置。
【請求項５】
前記原稿押え部材は、フレームに対して移動自在に配設され、原稿が所定の厚さより厚い場合に、原稿突当て部の上方から退避させられる請求項４に記載の画像読取装置。
【請求項６】
前記原稿押え部材は、フレームに対して移動自在に配設され、原稿が所定の厚さより厚い場合に、前記押え部の前縁を原稿突当て部として機能させる請求項２に記載の画像読取装置。
【請求項７】
前記原稿押え部材は、フレームに対して移動不能に配設され、原稿が所定の厚さより厚い場合に、前記押え部の前縁を原稿突当て部として機能させる請求項２に記載の画像読取装置。
【発明の詳細な説明】
【技術分野】
【０００１】
本発明は、画像読取装置に関するものである。
【背景技術】
【０００２】
従来、画像読取装置は、画像読取装置の本体である原稿載置台、及び該原稿載置台に対して開閉自在に配設された原稿押えカバーを備え、原稿載置台の載置部としての透過板上に原稿が載置され、原稿押えカバーが閉じられると、原稿載置台の内部に配設された画像読取モジュールが、駆動部によって移動させられ、透過板上の原稿の画像を読み取るようになっている（例えば、特許文献１参照。）。
【先行技術文献】
【特許文献】
【０００３】
【特許文献１】特開２０１０−２８３８０１号公報
【発明の概要】
【発明が解決しようとする課題】
【０００４】
しかしながら、前記従来の画像読取装置においては、透過板上に原稿を載置した後、原稿押えカバーを閉じる際に透過板上で原稿が動いてしまうことがあり、その場合、原稿の画像を精度良く読み取ることができない。
【０００５】
本発明は、前記従来の画像読取装置の問題点を解決して、載置部に載置された原稿の画像を精度良く読み取ることができる画像読取装置を提供することを目的とする。
【課題を解決するための手段】
【０００６】
そのために、本発明の画像読取装置においては、原稿載置台と、該原稿載置台に対して開閉自在に配設された開閉部材とを有する。
【０００７】
そして、前記原稿載置台は、原稿を突き当てて位置決めするための原稿突当て部を備えたフレーム、該フレームによって包囲され、原稿を載置するための載置部、及び前記フレームに対して揺動自在に配設され、開閉部材の開閉に連動して回動させられて原稿を載置部に押し付ける原稿押え部材を備える。
【０００８】
また、該原稿押え部材は、原稿が所定の厚さより厚い場合に、原稿突当て部として機能する。
【発明の効果】
【０００９】
本発明によれば、画像読取装置においては、原稿載置台と、該原稿載置台に対して開閉自在に配設された開閉部材とを有する。
【００１０】
そして、前記原稿載置台は、原稿を突き当てて位置決めするための原稿突当て部を備えたフレーム、該フレームによって包囲され、原稿を載置するための載置部、及び前記フレームに対して揺動自在に配設され、開閉部材の開閉に連動して回動させられて原稿を載置部に押し付ける原稿押え部材を備える。
【００１１】
また、該原稿押え部材は、原稿が所定の厚さより厚い場合に、原稿突当て部として機能する。
【００１２】
この場合、原稿押え部材が、フレームに対して揺動自在に配設され、開閉部材の開閉に連動して回動させられて原稿を載置部に押し付けるので、載置部上に原稿を載置した後、開閉部材を閉じる際に載置部上で原稿が動いてしまうことがない。したがって、原稿の画像を精度良く読み取ることができる。
【００１３】
また、原稿が所定の厚さより厚い場合、原稿押え部材が原稿突当て部として機能するので、所定の厚さより厚い原稿の画像も精度良く読み取ることができる。
【図面の簡単な説明】
【００１４】
【図１】本発明の第１の実施の形態における原稿押えカバーを開いたときの画像読取装置の第１の要部断面図である。
【図２】本発明の第１の実施の形態における原稿押えカバーを開いたときの画像読取装置の斜視図である。
【図３】本発明の第１の実施の形態における画像読取装置の要部斜視図である。
【図４】本発明の第１の実施の形態における連動機構の斜視図である。
【図５】本発明の第１の実施の形態における原稿押えカバーを所定の角度だけ閉じたときの画像読取装置の要部断面図である。
【図６】本発明の第１の実施の形態における原稿押えカバーを完全に閉じたときの画像読取装置の要部断面図である。
【図７】本発明の第１の実施の形態における原稿押えカバーを開いたときの画像読取装置の第２の要部断面図である。
【図８】本発明の第２の実施の形態における原稿押えカバーを開いたときの画像読取装置の斜視図である。
【図９】本発明の第２の実施の形態における画像読取装置の制御ブロック図である。
【図１０】本発明の第３の実施の形態における原稿押えカバーを開いたときの画像読取装置の要部断面図である。
【図１１】本発明の第３の実施の形態における原稿押えカバーを完全に閉じたときの画像読取装置の要部断面図である。
【発明を実施するための形態】
【００１５】
以下、本発明の実施の形態について図面を参照しながら詳細に説明する。この場合、単紙のような薄い原稿、及びブック原稿のような所定の厚さより厚い原稿の画像を読み取るための画像読取装置について説明する。
【００１６】
図１は本発明の第１の実施の形態における原稿押えカバーを開いたときの画像読取装置の第１の要部断面図、図２は本発明の第１の実施の形態における原稿押えカバーを開いたときの画像読取装置の斜視図、図３は本発明の第１の実施の形態における画像読取装置の要部斜視図、図４は本発明の第１の実施の形態における連動機構の斜視図、図５は本発明の第１の実施の形態における原稿押えカバーを所定の角度だけ閉じたときの画像読取装置の要部断面図、図６は本発明の第１の実施の形態における原稿押えカバーを完全に閉じたときの画像読取装置の要部断面図、図７は本発明の第１の実施の形態における原稿押えカバーを開いたときの画像読取装置の第２の要部断面図である。なお、図１は図２のＡ−Ａ断面図、図７は図２のＢ−Ｂ断面図である。
【００１７】
図において、１１は画像読取装置、１２は該画像読取装置１１の装置本体である原稿載置台、１４は、該原稿載置台１２に対してヒンジｈｇ１、ｈｇ２を介して揺動自在に、かつ、開閉自在に配設された開閉部材としての原稿押えカバー、１６は該原稿押えカバー１４における原稿載置台１２と対向する面に取り付けられた白色の原稿押えシートである。該原稿押えシート１６は、原稿載置台１２に原稿が載置され、原稿押えカバー１４が閉じられたときに原稿を押さえる。そして、原稿押えカバー１４と原稿押えシート１６との間にはスポンジ等の弾性部材１８が配設される。
【００１８】
前記原稿載置台１２は、原稿載置台１２の上面の周縁に形成され、矩形の形状を有する枠から成るフレームとしての原稿載置フレーム２１、ガラス等の透過材料から成り、前記原稿載置フレーム２１によって包囲され、矩形の形状を有し、原稿を載置するための載置部としての透過板２３等を備える。前記原稿載置フレーム２１は、前枠Ｆｆ、左右の横枠Ｆｓ１、Ｆｓ２及び後枠Ｆｒを備える。
【００１９】
前記ヒンジｈｇ１、ｈｇ２は、後枠Ｆｒに形成された凹部ｋ１、ｋ２に対して嵌合させられることによって、上下方向に移動自在にされる。したがって、ブック原稿のような所定の厚さより厚い原稿の画像を読み取る場合は、原稿押えカバー１４が閉じられると、ヒンジｈｇ１、ｈｇ２が上方に移動させられるので、ブック原稿を安定させて上から押さえることができる。
【００２０】
前記原稿載置台１２の前方には操作・表示部２４が突出させて配設される。該操作・表示部２４は、操作要素としての各種のボタンから成る操作部２６、及びＬＥＤ画面等の表示部２７を備える。また、前記原稿載置台１２内における透過板２３の下方には、画像読取モジュール３０が配設され、該画像読取モジュール３０は、原稿載置台１２に、すなわち、透過板２３上に載置された原稿の画像を読み取り、読取画像データを生成する。
【００２１】
そして、前記原稿載置フレーム２１の所定の箇所、本実施の形態においては、後枠Ｆｒにおける前方の縁部及び横枠Ｆｓ１の右方（横枠Ｆｓ２側）の縁部に、透過板２３上に原稿を載置する際に、原稿を突き当てて位置決めするための原稿突当て部２８、２９が形成される。
【００２２】
前記原稿突当て部２８の上方には、原稿押えカバー１４の開閉に連動して回動させられ、原稿突当て部２８に突き当てて位置決めされた原稿を上方から透過板２３に押し付けるための原稿押え部材としての原稿押え補助板３１が、原稿突当て部２８に沿って、かつ、原稿突当て部２８を覆うように延在させられる。
【００２３】
前記原稿押え補助板３１は、左右の端部において、後枠Ｆｒから立ち上げて形成された支持部材３３に対して、揺動自在に、かつ、前後方向に移動自在に配設される。また、前記原稿押え補助板３１は、所定の幅を有し、前記支持部材３３間に延在させられる本体部３１ａ、該本体部３１ａの両端において立ち上げて形成された被支持部としての立上部３１ｂ、本体部３１ａの前縁から垂下させて形成された垂下部３１ｃ、及び該垂下部３１ｃの下縁から所定の量だけ前方に突出させて形成され、透過板２３上に載置された原稿を選択的に押さえる押え部３１ｄを備える。
【００２４】
そして、前記各支持部材３３に、円筒形の形状を有する係止部としてのピン３５が原稿押え補助板３１に向けて突出させて形成され、前記立上部３１ｂに、前後方向に延びる被係止部としての長溝３６が形成され、ピン３５が長溝３６に対して回動自在に、かつ、移動自在に係止させられる。なお、長溝３６は、前端３６ｆを本体部３１ａに近接させて、後端３６ｒを本体部３１ａから離間させて、本体部３１ａに対して傾斜させて形成される。
【００２５】
さらに、原稿押え補助板３１と原稿載置フレーム２１との間、本実施の形態においては、立上部３１ｂと支持部材３３との間に、第１の付勢部材としての捩りコイルスプリング３８が配設される。該捩りコイルスプリング３８は、コイル部３８ａにピン３５を嵌入させ、一方の端部３８ｂを支持部材３３に、他方の端部３８ｃを立上部３１ｂに係止させて配設され、所定の付勢力で原稿押え補助板３１の本体部３１ａの後縁ｅｇｒを下方に向けて（ピン３５を回動中心にして原稿押え補助板３１を図における時計回り方向に向けて）付勢する。
【００２６】
なお、図３において、３２は、画像読取装置１１において、図示されない自動原稿送り装置によって原稿を自動送りする際に、原稿の画像を読み取る読取部、３４は該読取部３２で画像が読み取られた原稿を自動原稿送り装置のスタッカに送るためのガイドである。
【００２７】
ところで、前記原稿押えカバー１４と原稿押え補助板３１とは連動機構４３によって連動して揺動させられ、原稿押えカバー１４が開かれた状態で、押え部３１ｄが透過板２３から離され、原稿押えカバー１４が閉じられた状態で、押え部３１ｄが透過板２３に押し付けられるようになっている。
【００２８】
そのために、前記連動機構４３は、原稿載置台１２に対して昇降自在に配設され、原稿押えカバー１４の開閉に応じて上下方向に移動させられる第１のレバーとしての昇降部材４４、該昇降部材４４の昇降に応じて上下方向に移動させられる第２のレバーとしての昇降部材４５、及び昇降部材４４、４５を連動させて移動させる連動部材４６を備える。
【００２９】
前記各昇降部材４４、４５は、互いに対向する面に形成された歯から成るラック４４ｇ、４５ｇを備える。
【００３０】
また、前記連動部材４６は、シャフトｓｈ１、該シャフトｓｈ１における昇降部材４４側の端部において、シャフトｓｈ１に対して相対的に回転自在に配設されたピニオンギヤｇ１、シャフトｓｈ１における昇降部材４５側の端部において、シャフトｓｈ１とＤカット部を介して連結されたピニオンギヤｇ２、前記シャフトｓｈ１の径方向外方においてピニオンギヤｇ１、ｇ２間を連結するとともに、各ピニオンギヤｇ１、ｇ２間で伝達されるトルクを制限するトルクリミッタｔｑ等を備え、ピニオンギヤｇ１、ｇ２とラック４４ｇ、４５ｇとがそれぞれ噛合させられ、ラックアンドピニオン構造が形成される。
【００３１】
前記昇降部材４４は、上端４４ｔを後枠Ｆｒに形成された孔ｈ１から突出させて、原稿押えカバー１４の対応する箇所に形成された当接面Ｓ１と当接させられ、前記昇降部材４５は、上端４５ｔを後枠Ｆｒに形成された孔ｈ２から突出させて、前記原稿押え補助板３１の本体部３１ａの後縁ｅｇｒと当接させられる。
【００３２】
そして、昇降部材４４の上端４４ｔが常に当接面Ｓ１に当接するように、前記昇降部材４４は第２の付勢部材としてのコイルスプリング４８によって上方に向けて付勢される。該コイルスプリング４８の上端４８ｕが原稿載置フレーム２１内の所定の箇所に固定され、コイルスプリング４８の下端４８ｄが昇降部材４４の下端に形成された係止片４４ｄに固定される。
【００３３】
なお、前記原稿載置フレーム２１内における所定の箇所にはリミッタ部５１が配設され、昇降部材４５の下端がリミッタ部５１に当接させられると、昇降部材４５の下方への移動が停止させられ、連動機構４３の動作が停止させられる。このとき、昇降部材４５は孔ｈ２から突出させられず、本体部３１ａの後縁ｅｇｒが後枠Ｆｒに当接させられる。
【００３４】
したがって、原稿押えカバー１４を開くと、昇降部材４４がコイルスプリング４８の付勢力によって上方に移動させられ、連動部材４６が回転させられ、昇降部材４５が下方に移動させられる。その結果、原稿押え補助板３１が捩りコイルスプリング３８の付勢力によって時計回り方向に回転させられ、押え部３１ｄが透過板２３から離される。
【００３５】
また、原稿押えカバー１４を閉じると、昇降部材４４がコイルスプリング４８の付勢力に抗して下方に移動させられ、連動部材４６が回転させられ、昇降部材４５が上方に移動させられる。その結果、原稿押え補助板３１が捩りコイルスプリング３８の付勢力に抗して反時計回り方向に回転させられ、押え部３１ｄが透過板２３に押し付けられる。
【００３６】
なお、原稿押えカバー１４を閉じたときに、原稿押えカバー１４と原稿押え補助板３１とが干渉するのを防止するために、原稿押えカバー１４における各立上部３１ｂに対応する箇所に、凹部Ｓｐが形成される。
【００３７】
次に、原稿載置台１２上、すなわち、透過板２３上に原稿を載置し、原稿の画像を読み取るときの画像読取装置１１の動作について説明する。なお、単紙のような薄い原稿の画像を読み取る場合、図１に示されるように、原稿押え補助板３１は前方の位置に置かれ、ピン３５は長溝３６の後端３６ｒ側に置かれ、ブック原稿のような所定の厚さより厚い原稿の画像を読み取る場合、図７に示されるように、原稿押え補助板３１は後方の位置に置かれ、ピン３５は長溝３６の前端３６ｆ側に置かれる。
【００３８】
操作者が原稿押えカバー１４を開くと、図１に示されるように、昇降部材４４がコイルスプリング４８の付勢力によって上方に移動させられ、連動部材４６が回転させられ、昇降部材４５が下方に移動させられる。そして、捩りコイルスプリング３８の付勢力によって、原稿押え補助板３１がピン３５を中心にして時計回り方向に回転させられ、原稿押え補助板３１の押え部３１ｄが透過板２３から離間させられる。原稿押え補助板３１の時計回り方向の回転は、本体部３１ａの後縁ｅｇｒが後枠Ｆｒに当接すると停止させられる。
【００３９】
そして、昇降部材４５の下端がリミッタ部５１に当接させられて停止させられると、連動部材４６が停止させられる。なお、ピニオンギヤｇ２とピニオンギヤｇ１との間にトルクリミッタｔｑが配設されるので、原稿押えカバー１４が十分に開かれていない場合、コイルスプリング４８の付勢力によって昇降部材４４が上方に移動させられる。したがって、昇降部材４４の可動量と昇降部材４５の可動量との差分を吸収することができる。
【００４０】
また、昇降部材４５が下方に移動している間に、前記捩りコイルスプリング３８は、前記原稿押え補助板３１を時計回り方向に付勢し、捩りコイルスプリング３８による付勢力と原稿押え補助板３１の自重との合力Ｐ１が前記昇降部材４５に加わるが、本実施の形態においては、前記トルクリミッタｔｑによる回転保持力Ｐ２が前記合力Ｐ１より大きく設定され、前記コイルスプリング４８の付勢力が前記回転保持力Ｐ２より大きく設定されるので、合力Ｐ１が前記昇降部材４５に加わっても、合力Ｐ１を受けることによって昇降部材４５が下方に移動することはない。
【００４１】
次に、操作者が前記透過板２３上に原稿を載置する。原稿を置くときの基準位置が透過板２３上における左奥であるので、操作者は、原稿を原稿突当て部２８、２９に突き当てて位置決めする。このとき、前記原稿押え補助板３１の押え部３１ｄと透過板２３との間のスペースは、前方ほど広く、後方ほど狭い。
【００４２】
したがって、原稿がカールしたり、折れたりしていても、原稿を容易に原稿突当て部２８に突き当てることができる。
【００４３】
また、前記原稿押え補助板３１の押え部３１ｄは、本体部３１ａの両端の近傍には形成されないので、操作者は、原稿が原稿突当て部２８、２９に確実に突き当てられたどうかを視認することができる。
【００４４】
原稿が前記透過板２３上で正確な位置に載置された状態で、操作者が、図５に示されるように、原稿押えカバー１４を所定の角度、本実施の形態においては、１４〔°〕だけ閉じると、昇降部材４４はコイルスプリング４８の付勢力に抗して原稿押えカバー１４によって押されて下方に移動させられ、連動部材４６が回転させられ、昇降部材４５が上方に移動させられる。これにより、原稿押え補助板３１は捩りコイルスプリング３８の付勢力に抗してピン３５を中心にして反時計回りに回転させられ、押え部３１ｄが原稿を透過板２３に押し付ける。すなわち、押え部３１ｄは、原稿押えカバー１４が完全に閉じられる前に、原稿を透過板２３に押し付ける。これにより、原稿は透過板２３上で外力を受けても動くことはない。
【００４５】
そして、原稿押え補助板３１の反時計回り方向への回転が停止させられ、昇降部材４５の上方への移動が停止させられる。
【００４６】
続いて、操作者が原稿押えカバー１４を更に閉じると、昇降部材４４はコイルスプリング４８の付勢力に抗して原稿押えカバー１４によって押されて更に下方に移動させられる。なお、原稿押えカバー１４を１４〔°〕だけ閉じた時点で、昇降部材４５の移動及び連動部材４６の回転は停止させられているので、トルクリミッタｔｑが空転し、ピニオンギヤｇ１が回転させられ、昇降部材４４が下方に移動させられる。
【００４７】
そして、図６に示されるように、原稿押えカバー１４を完全に閉じると、昇降部材４４は最も下方の位置で停止させられ、昇降部材４５は最も上方の位置で停止させられる。
【００４８】
このようにして、透過板２３上に原稿が載置されると、図示されない駆動部によって画像読取モジュール３０が左右方向（横枠Ｆｓ１、Ｆｓ２方向）に移動させられ、透過板２３上に載置された原稿の画像を読み取る。
【００４９】
ところで、原稿押えカバー１４における原稿載置台１２と対向する面に、弾性部材１８を介して原稿押えシート１６が取り付けられるが、原稿押えカバー１４を閉じたときに、原稿押えシート１６によって一律に原稿を押さえると、原稿押えシート１６によって直接原稿を押さえる部分と原稿押え補助板３１を介して原稿を押さえる部分とで原稿を押さえる圧力にばらつきが生じてしまう。
【００５０】
そこで、本実施の形態においては、原稿押えシート１６を、直接原稿を押さえる領域Ａｒ１と、原稿押え補助板３１、すなわち、押え部３１ｄを介して原稿を押さえる領域Ａｒ２とに分け、それぞれ弾性部材１８の厚さを異ならせ、領域Ａｒ２を押え部３１ｄの厚さ分だけ透過板２３の表面から離間させるようにしている。これにより、原稿を一様の圧力で押さえることができる。
【００５１】
また、原稿押えカバー１４を閉じたときに、領域Ａｒ１が押え部３１ｄに乗り上げるのを防止するために、領域Ａｒ１と押え部３１ｄの前縁ｅｇｆとの間に所定の、本実施の形態においては、１〔ｍｍ〕のクリアランスＣＬが形成される。
【００５２】
領域Ａｒ１と押え部３１ｄの前縁ｅｇｆとの間にクリアランスＣＬが形成されるが、領域Ａｒ１、Ａｒ２間にはクリアランスが形成されないので、厚さの薄い原稿を透過板２３上に載置した場合でも、裏写りが生じることなく、画像を精度良く読み取ることができる。
【００５３】
原稿の画像が読み取られた後、操作者が前記原稿押えカバー１４を開くと、昇降部材４４が上方に移動させられ、連動部材４６が回転させられ、昇降部材４５が下方に移動させられる。そして、原稿押え補助板３１が時計回り方向に回転させられ、押え部３１ｄが透過板２３から離間させられる。したがって、透過板２３から原稿を取り除くことができる。
【００５４】
ところで、前述されたように、原稿押えカバー１４を開くと、原稿押え補助板３１が時計回り方向に回転させられ、押え部３１ｄが透過板２３から離間させられるが、押え部３１ｄと透過板２３との間に、厚い原稿、例えば、ブック原稿を挿入することができない。
【００５５】
そこで、本実施の形態においては、ブック原稿を押え部３１ｄと透過板２３との間に挿入する場合、原稿押えカバー１４を開き、原稿押え補助板３１の本体部３１ａの後縁ｅｇｒを後枠Ｆｒに当接させたまま、原稿押え補助板３１を後方に移動させ、原稿突当て部２８の上方から退避させることができるようになっている。
【００５６】
そのために、図２及び７に示されるように、後枠Ｆｒの所定の箇所、本実施の形態においては、後枠Ｆｒの幅方向における中央部に、矩形の形状を有する凹部４１が形成される。また、前記本体部３１ａの後縁ｅｇｒの中央部、すなわち、凹部４１と対応する箇所に、後縁ｅｇｒから垂下させてフックｈｋが形成される。そして、前記凹部４１内において、フックｈｋと凹部４１の後壁４１ｒとの間に、第３の付勢部材としてのコイルスプリング３９が配設され、該コイルスプリング３９は、原稿押え補助板３１を前方に向けて付勢する。
【００５７】
さらに、前記凹部４１の底壁４１ｂの所定の箇所、本実施の形態においては、底壁４１ｂの前後方向におけるほぼ中央に、前記フックｈｋを係止させるための突起ｅｘが形成される。
【００５８】
したがって、原稿押えカバー１４を開き、図１に示されるように、原稿押え補助板３１を、コイルスプリング３９の付勢力によって、原稿突当て部２８を覆う前位置に置いた状態で、コイルスプリング３９の付勢力に抗して後枠Ｆｒ側に押すと、ピン３５が長溝３６の前端３６ｆに到達するまで原稿押え補助板３１を後方に移動させることができる。そして、図７に示されるように、フックｈｋが突起ｅｘに係止させられると、原稿押え補助板３１が原稿突当て部２８を覆わない後位置に置かれ、ロックされる。
【００５９】
このとき、押え部３１ｄの前縁ｅｇｆは原稿突当て部２８より後方に位置するので、ブック原稿を原稿突当て部２８、２９に突き当てて位置決めすることができる。
【００６０】
したがって、ブック原稿を手で押さえながら画像を読み取ることができる。
【００６１】
なお、長溝３６は、前端３６ｆを本体部３１ａに近接させて、後端３６ｒを本体部３１ａから離間させて、本体部３１ａに対して傾斜させて形成されているので、本体部３１ａの後縁ｅｇｒが後枠Ｆｒに当接した状態で長溝３６は水平に置かれる。したがって、原稿押え補助板３１を容易に後方に移動させることができる。
【００６２】
また、原稿押えカバー１４を閉じてブック原稿を原稿押えカバー１４によって押さえながら画像を読み取ることもできるが、原稿押えカバー１４を閉じると、昇降部材４５が上方に移動させられ、原稿押え補助板３１が反時計回り方向に回転させられるので、フックｈｋと突起ｅｘとの係止が解除され、コイルスプリング３９が原稿押え補助板３１を前方に付勢する。したがって、透過板２３上に載置されたブック原稿が移動することはない。
【００６３】
このように、本実施の形態においては、原稿押え補助板３１が、原稿載置フレーム２１に対して揺動自在に配設され、原稿押えカバー１４を閉じたときに、原稿を透過板２３に押し付けるので、原稿押えカバー１４を閉じる際に透過板２３上に載置した原稿が動いてしまうことがなく、原稿の画像を精度良く読み取ることができる。
【００６４】
ところで、本実施の形態においては、ブック原稿の画像を読み取る際に、前記原稿押え補助板３１を原稿突当て部２８上から退避させる必要があるが、ブック原稿を誤って原稿押え補助板３１の押え部３１ｄの前縁ｅｇｆに突き当てて透過板２３上に載置すると、画像の一部、すなわち、前枠Ｆｆ側の部分を読み取ることができないことがある。
【００６５】
そこで、ブック原稿を誤って原稿押え補助板３１に突き当てて透過板２３上に載置しても、原稿押え補助板３１を原稿突当て部として機能させ、画像を適正に読み取ることができるようにした本発明の第２の実施の形態について説明する。なお、第１の実施の形態と同じ構造を有するものについては、同じ符号を付与し、同じ構造を有することによる発明の効果については同実施の形態の効果を援用する。
【００６６】
図８は本発明の第２の実施の形態における原稿押えカバーを開いたときの画像読取装置の斜視図、図９は本発明の第２の実施の形態における画像読取装置の制御ブロック図である。
【００６７】
図において、１１は画像読取装置、１２は原稿載置台、１４は開閉部材としての原稿押えカバー、３０は画像読取モジュール、３１は原稿押え部材としての原稿押え補助板、６１、６２は、原稿載置台１２内において、載置部としての透過板２３の下方の所定の位置、本実施の形態においては、原稿載置台１２のほぼ中央部に配設され、ブック原稿のサイズを検出するための原稿検出センサ、６３は、後枠Ｆｒにおけるヒンジｈｇ２の近傍に配設され、原稿押えカバー１４の開閉、本実施の形態においては、原稿押えカバー１４が閉じられたことを検出するためのカバー開閉センサである。
【００６８】
また、７１は画像読取装置１１の全体の制御を行う制御部であり、該制御部７１は原稿検出処理部Ｐｒ１及び画像読取処理部Ｐｒ２を備える。
【００６９】
前記原稿検出処理部Ｐｒ１は、カバー開閉センサ６３のセンサ出力を読み込み、原稿押えカバー１４が閉じられたことを検出すると、画像読取モジュール３０によって生成された読取画像データ、及び原稿検出センサ６１、６２のセンサ出力を読み込み、ブック原稿の横枠Ｆｓ１側のエッジの位置及び後枠Ｆｒ側のエッジの位置を算出し、各エッジの位置に基づいてブック原稿の位置及びサイズを検出する。
【００７０】
また、前記画像読取処理部Ｐｒ２は、検出されたブック原稿の位置及びサイズに基づいて、原稿突当て部２９の延長線と、押え部３１ｄの前縁ｅｇｆの延長線との交点を読取基準位置として算出し、ブック原稿の画像を読み取る。
【００７１】
したがって、本実施の形態においては、原稿押え補助板３１が原稿突当て部として機能するので、操作者が誤ってブック原稿を押え部３１ｄの前縁ｅｇｆに突き当てて透過板２３上に載置しても、ブック原稿の画像を適正に読み取ることができる。
【００７２】
このように、本実施の形態において、原稿押え補助板３１は、単紙の原稿を透過板２３に押し付けるとともに、ブック原稿を突き当てるための原稿突当て部として機能する。したがって、ブック原稿の画像を精度良く読み取ることができる。
【００７３】
ところで、前記第１の実施の形態においては、ブック原稿の画像を読み取る際に、前記原稿押え補助板３１を原稿突当て部２８上から退避させる必要があるので、操作者による画像読取装置１１の操作が煩わしい。そこで、ブック原稿の画像を読み取る際に、前記原稿押え補助板３１を原稿突当て部２８上から退避させる必要がない本発明の第３の実施の形態について説明する。なお、第１、第２の実施の形態と同じ構造を有するものについては、同じ符号を付与し、同じ構造を有することによる発明の効果については同実施の形態の効果を援用する。
【００７４】
図１０は本発明の第３の実施の形態における原稿押えカバーを開いたときの画像読取装置の要部断面図、図１１は本発明の第３の実施の形態における原稿押えカバーを完全に閉じたときの画像読取装置の要部断面図である。
【００７５】
この場合、後枠Ｆｒ及び横枠Ｆｓ１（図２）の縁部に原稿突当て部２８、２９が形成され、原稿突当て部２８の上方に、原稿押え部材としての原稿押え補助板３１が、支持部材３３に対して揺動自在に、かつ、前後方向に移動不能に配設される。
【００７６】
また、第２の実施の形態と同様に、原稿載置台１２内における載置部としての透過板２３の下方に原稿検出センサ６１、６２（図８）が、後枠Ｆｒにカバー開閉センサ６３が配設され、制御部７１（図９）に原稿検出処理部Ｐｒ１及び画像読取処理部Ｐｒ２が配設される。
【００７７】
本実施の形態においては、操作者が開閉部材としての原稿押えカバー１４を開くと、図１０に示されるように、第１のレバーとしての昇降部材４４が上方に移動させられ、連動部材４６が回転させられ、第２のレバーとしての昇降部材４５が下方に移動させられる。これにより、原稿押え補助板３１が係止部としてのピン３５を中心にして時計回り方向に回転させられ、原稿押え補助板３１の押え部３１ｄが透過板２３から離間させられる。なお、本実施の形態においては、原稿押え補助板３１が支持部材３３に対して前後方向に移動不能に配設されるので、ピン３５は長溝ではなく、円形の形状を有する孔７６内で回動自在に配設される。
【００７８】
次に、操作者が、単紙の原稿を原稿突当て部２８、２９に突き当てて位置決めし、原稿押えカバー１４を１４〔°〕だけ閉じると、昇降部材４４は下方に移動させられ、連動部材４６が回転させられ、昇降部材４５が上方に移動させられる。これにより、原稿押え補助板３１はピン３５を中心にして反時計回りに回転させられ、押え部３１ｄが単紙の原稿を透過板２３に押し付ける。これにより、原稿が透過板２３上で外力を受けても動くことはない。
【００７９】
そして、操作者が原稿押えカバー１４を完全に閉じると、図１１に示されるように、昇降部材４４は最も下方の位置で停止させられ、昇降部材４５は最も上方の位置で停止させられる。
【００８０】
このようにして、画像読取装置１１によって、透過板２３上に載置された単紙の原稿の画像が読み取られる。
【００８１】
また、ブック原稿の画像を読み取る場合、操作者が、原稿押えカバー１４を開き、原稿押え補助板３１の押え部３１ｄを透過板２３から離間させた状態で、ブック原稿を押え部３１ｄの前縁ｅｇｆ及び原稿突当て部２９に突き当てて位置決めすると、制御部７１の原稿検出処理部Ｐｒ１は、画像読取モジュール３０によって生成された読取画像データ、及び原稿検出センサ６１、６２のセンサ出力を読み込み、ブック原稿の横枠Ｆｓ１側のエッジの位置及び後枠Ｆｒ側のエッジの位置を算出し、各エッジの位置に基づいてブック原稿の位置及びサイズを検出する。
【００８２】
そして、制御部７１の画像読取処理部Ｐｒ２は、ブック原稿の位置及びサイズに基づいて読取基準位置を算出し、ブック原稿の画像を読み取る。
【００８３】
前記各実施の形態においては、画像読取装置１１について説明したが、本発明を、スキャナ、複写機、複合機等の画像形成装置に適用することができる。
【００８４】
なお、本発明は前記各実施の形態に限定されるものではなく、本発明の趣旨に基づいて種々変形させることが可能であり、それらを本発明の範囲から排除するものではない。
【符号の説明】
【００８５】
１１    画像読取装置
１２    原稿載置台
１４    原稿押えカバー
２１    原稿載置フレーム
２３    透過板
２８、２９    原稿突当て部
３１    原稿押え補助板
【図１】
2018157511.tif 000003
【図２】
2018157511.tif 000004
【図３】
2018157511.tif 000005
【図４】
2018157511.tif 000006
【図５】
2018157511.tif 000007
【図６】
2018157511.tif 000008
【図７】
2018157511.tif 000009
【図８】
2018157511.tif 000010
【図９】
2018157511.tif 000011
【図１０】
2018157511.tif 000012
【図１１】
2018157511.tif 000013